(57)【特許請求の範囲】
【請求項１】
ゴルフのパッティング練習用具であって、該用具は練習用ゴルフボールと該ボールを支持する支持磁石を備えた支持板とからなり、
前記練習用ゴルフボールはボール中心を通る直線状貫通孔を有し、該貫通孔の一方の開口周縁に孔の開いた磁石が取り付けてあり、
前記支持板は、前記支持磁石上に支持された前記練習用ゴルフボールの前記直線状貫通孔を通して上方に光を放つ発光体を備えてなる、パッティング練習用具。
【請求項２】
請求項１に記載のパッティング練習用具において、前記支持磁石は孔が開いており、該支持磁石の下に、該支持磁石の孔に向かって光を放つ前記発光体が取り付けられてなるパッティング練習用具。
【請求項３】
請求項１に記載のパッティング練習用具において、前記支持磁石は孔が開いており、該支持磁石の孔内に前記発光体が備えられてなるパッティング練習用具。
【請求項４】
請求項１から３のいずれか一項に記載のパッティング練習用具において、前記練習用ゴルフボールと前記支持板に取り付ける２個の磁石に代えて、一方に孔の開いた磁石、他方には該磁石に吸着する孔の開いた金属からなるパッティング練習用具。
【請求項５】
請求項１から４のいずれか一項に記載のパッティング練習用具において、前記支持板は、最上層に配されたパッティングシートを有し、前記パッティングシートには開口部が設けられ、その開口部に前記支持磁石が配されているパッティング練習用具。
【請求項６】
請求項１から５のいずれか一項に記載のパッティング練習用具において、前記発光体は発光ダイオードであるパッティング練習用具。
【請求項７】
請求項１から５のいずれか一項に記載のパッティング練習用具において、前記発光体は発光源から導光パイプを通して光を導き発光体となるパッティング練習用具。
【請求項８】
請求項１から７のいずれか一項に記載のパッティング練習用具において、前記発光体は点滅する機能を備えたパッティング練習用具。
【請求項９】
請求項１から８のいずれか一項に記載のパッティング練習用具において、前記支持板には、前記練習用ゴルフボールに取り付けられた前記磁石と前記支持磁石の磁束の変化を検出するための磁気センサを備えてなるパッティング練習用具。
【発明の詳細な説明】
【技術分野】
【０００１】
本発明は、ゴルフのパッティング練習に使用する用具であって、特には、眼がボールを真下に見下ろす位置にあることを確認してパッティングを行なえる用具に関する。
【背景技術】
【０００２】
ゴルフのスコアの約半分はパットの回数が占めることから、スコアを上げるにはパッティング技術の向上が欠かせない。パッティングでは、ボールを目標ラインに転がすために、目標ラインに向かってクラブヘッドを振り抜くことが重要といわれる。目標ラインに向かってヘッドを振り抜くにはパッティング時のプレイヤの眼の位置が重要で、両眼を結ぶ線が目標ラインに平行、且つボールを真下に見下ろす状態でパットすることが肝要とされる。
【０００３】
パッティング練習用具は数多く提案されている。その中で眼の位置に注目した提案として、例えば、特許文献１には、ゴルフボールの真上中空にボールに重ねて見る２本の平行ガイド細線を脚部で支えて設置し、平行ガイトの隙間にボールが見えるように眼の位置を合わせてアドレスと方向を調整する練習機が提案されている。しかし、この練習機の場合、両眼を結ぶ線を目標ラインに合わせることはできるが、効き眼がボールの真上にあることを確認することには難がある。
【０００４】
また、特許文献２には、平面視Ｔ字状のクラブヘッドの底面側をＴ字状に切り欠いて光取り込み部を設け、ヘッド本体にはスイートスポットに対応する位置に上面側から光取り込み部に届く四角柱状の目の位置確認孔を設けたパタークラブが提案されている。このクラブの場合、目の位置確認孔を真上から見た場合のみ孔形状の全体が見えることから目の位置をスイートスポットの真上に位置させることができる。しかし、特殊形状クラブに特殊加工を必要とする。更に両眼を結ぶ線が目標ラインに平行であることを確認するのに難がある。
【０００５】
また、特許文献３には、パターヘッドの上面に打球面と直交でスイートスポットを通過する線を引いてその上にヘッドソール面に対して垂直に立ち上がる立ち上がり片を設け、該立ち上がり片の両側のヘッド上面に複数の帯状マーカーを前記線に平行に設けたゴルフパターが提案されている。このゴルフパターの場合も特殊形状パターの上に立ち上がり片を設ける必要がある。実戦で使用するパターとは異なる形状のパターで練習することになり効果に疑問がある。
【先行技術文献】
【特許文献】
【０００６】
【特許文献１】特開２００１−５４６０６号公報
【特許文献２】特開２００６−３２６２１６号公報
【特許文献３】特開２００８−４３７２２号公報
【発明の開示】
【発明が解決しようとする課題】
【０００７】
本発明は、従来技術のこうした問題点を解決するためになされたもので、その課題はゴルフのパッティング練習に使用する用具であって、眼がボールを真下に見下ろす位置にあることを確認してパッティングを行なえる用具を提供することにある。
【課題を解決するための手段】
【０００８】
前記課題を解決するための請求項１に記載の発明は、ゴルフのパッティング練習用具であって、該用具は練習用ゴルフボールと該ボールを支持する支持磁石を備えた支持板とからなり、
前記練習用ゴルフボールはボール中心を通る直線状貫通孔を有し、該貫通孔の一方の開口周縁に孔の開いた磁石が取り付けてあり、
前記支持板は、前記支持磁石上に支持された前記練習用ゴルフボールの前記直線状貫通孔を通して上方に光を放つ発光体を備えてなる、パッティング練習用具である。
【０００９】
このような用具を使用すれば、パッティングをする際に練習用ゴルフボールの貫通孔を通して発光体を視認できる位置に頭と眼の位置を調整することができる。視認できれば眼はゴルフボールの真上位置にあるため、ゴルフボールの中心と目標ラインを正確に捉えることができ、そのラインに沿ってボールを転がすことでパットの精度を高めることができる。このような練習を繰り返してパットの際の正しい姿勢を身体に覚え込ませれば、実戦で成績をあげることができる。
【００１０】
請求項２に記載の発明は、請求項１に記載のパッティング練習用具において、前記支持磁石に孔が開いており、該支持磁石の下に、該支持磁石の孔に向かって光を放つ発光体が取り付けられてなるパッティング練習用具である。
【００１１】
このような構成としても請求項１に記載の発明と同様の効果を奏する。
【００１２】
また、請求項３に記載の発明は、前記支持磁石は孔が開いており、該支持磁石の孔内に発光体が備えられてなるパッティング練習用具である。
【００１３】
このような構成としても請求項１に記載の発明と同様の効果を奏する。
【００１４】
また、請求項４に記載の発明は、請求項１から３のいずれか一項に記載のパッティング練習用具において、前記練習用ゴルフボールと支持板に取り付ける２個の磁石に代えて、一方に孔の開いた磁石、他方には該磁石に吸着する孔の開いた金属からなるパッティング練習用具である。
【００１５】
このような構成としても、ゴルフボールの貫通孔を支持板側の磁石又は金属の孔に一致させた状態で支持することができるため請求項１から３のいずれか一項に記載の発明と同様の効果を奏する。
【００１６】
また、請求項５に記載の発明は、請求項１から４のいずれか一項に記載のパッティング練習用具において、パッティングシートに開口を開け、その開口部に支持磁石を埋め込んでなるパッティング練習用具である。  
【００１７】
このような構成によって、支持磁石とのパッティングシートに段差が無くなり、ゴルフボールがスムーズに転がる効果を奏する。
【００１８】
また、請求項６に記載の発明は、請求項１から５のいずれか一項に記載のパッティング練習用具において、発光体は発光ダイオードであるパッティング練習用具である。
【００１９】
このような構成としても請求項１から５のいずれか一項に記載の発明と同様の効果を奏する。
【００２０】
また、請求項７に記載の発明は、請求項１から５のいずれか一項に記載のパッティング練習用具において、発光体は発光源から導光パイプを通して光を導き発光体となるパッティング練習用具である。
【００２１】
このような構成としても、発光体の交換が容易であるとともに、請求項１から５に記載の発明と同様の効果を奏する。
【００２２】
また、請求項８に記載の発明は、請求項１から７のいずれか一項に記載のパッティング練習用具において、発光体は点滅する機能を備えたパッティング練習用具である。
【００２３】
このように発光体を点滅させれば、プレイヤがボールを打つタイミングを習得することもできる。
【００２４】
請求項１から８いずれか一項に記載のパッティング練習用具において、前記支持板に、前記練習用ゴルフボールに取り付けられた磁石と前記支持磁石の磁束の変化を検出するための磁気センサを備えてなるパッティング練習用具である。
【００２５】
このような用具を使用すれば、練習用ゴルフボールが、転がり始めた時の開始時間を算定することができ、ボールの速度を演算したり、ボールが転がり始めた直後に発光体の光の強度を変えることができる。
【図面の簡単な説明】
【００２６】
【図１】パッティング練習用具１の練習用ゴルフボール２と支持板３の縦断面図である。
【図２】パッティング練習用具１の使用法の説明図である。
【図３】支持板３の取り付け方の他の実施形態である。
【図４】導光パイプを用いた時の他の実施形態である。
【図５】パッティング練習用具１を使用してパッティングを行なうときの状態である。
【図６】第２の実施形態のパッティング練習用具２０を使用してパッティングを行なうときの状態である。
【発明を実施するための形態】
【００２７】
以下、本発明に係るパッティング練習用具の構成例について実施形態に分けて説明する。
（第１の実施形態）
図１は本実施形態に係るパッティング練習用具１の断面図である。パッティング練習用具１は練習用ゴルフボール２と支持板３の２つの部品で構成される。練習用ゴルフボール２には、ボール中心を通る細い直線状貫通孔４が形成してある。図１の（１）は、その直線状貫通孔４を含む縦断面図である。直線状貫通孔４の一方の開口周縁には0.5〜1ｍｍの孔の開いた磁石５ａが、その外面側を練習用ゴルフボール２の表面に一致させた状態で取り付けてある。
【００２８】
図１の（２）は、支持板３に関してその中心軸を含む断面図である。支持板３の上面には２ｍｍの孔の開いた支持磁石５ｂと該支持板３の下側には発光体８を貼り付けることで構成され、チップタイプの発光ダイオードやＥＬ（エレクトロルミネッセンス）光源に代表される厚さ1ｍｍ以下の薄膜発光体８が支持磁石５ｂの孔に向けて光を放つ姿勢で取りつけてある。
【００２９】
前記二つの磁石の孔の大きさの関係は、同じ孔径の場合孔の位置が一致しないと下からの光を効率よく導き出せない。また、孔の径が大きすぎると、練習用ゴルフボール２が正確に眼の真下に位置する精度が低くなるので、片側の穴の大きさを小さくした。練習用ゴルフボール２の貫通孔４の大きさについても、同じ様な設計が必要であるのは当然である。このように、二つの磁石５ａおよび５ｂの孔と貫通孔４の大きさを適宜調整することで、光を効率よく導き、かつ、視認精度を向上させることが可能となった。
【００３０】
前記孔の開いた磁石５a、支持磁石５b、は、いずれか一方が磁性を有し、片方は磁性に吸着する例えば鉄やニッケルなどの金属でも代用することができる。これらの組み合わせを変えることで、ゴルフボールをストロークする時の抵抗、つまりはストロークの感触の強さが変わり、新たな練習用具となる。
支持板３自体を磁性に吸着する金属５ｂとした場合、練習用ゴルフボール２を吸着することは可能となるが発光体８直上に載置することが難しく、できれば本実施の形態のように５ｂを設けることが好ましい。
【００３１】
図２はパッティング練習用具１の使用法の説明図である。支持磁石５ｂの上に練習用ゴルフボール２を、その磁石５ａを支持板３の下地磁石５ｂに吸着させた状態で載せる。練習用ゴルフボール２内の貫通孔４は鉛直姿勢となる。そして発光体８を発光させる。この状態によって貫通孔４の真上から練習用ゴルフボール２を見下ろすと、貫通孔４を通して発光している発光体８を視認できる。貫通孔４は断面の小さい孔であるため、貫通孔４の真上から外れた位置から見下ろしたのでは発光している発光体８を視認できない。
ここで裏面に貼った発光体８は薄いので、図１（２）の構造体をそのまま用いても、支持板の平行度は保たれ、練習ボール２の鉛直姿勢は大きく傾かないが、支持板３の裏面に下地材９となる布を貼ったり、布製のパッティングマットの上においたりすることは、平行度に影響を与えることが少なくなる点で好ましい。
【００３２】
前記実施例では支持磁石５ｂを支持板３の上に設けた。これに伴い支持磁石５ｂの厚さによる段差が生じ、練習時ボールを打つ時、ボールの転がりが滑らかでなく、カップに向かって真っすぐボールが転がっているか判断しにくい。そこでプリント基板上に支持磁石５ｂを貼り、該磁石の孔内に発光体８を埋め込んだ一体構造の基板１３（図３（１））や筒状体１４（図３（２））からなる機能部品１５を下地板１８の上に載せ、その後、緑色など芝の色に似たパッティングシート１９に開口を設け、該機能部品１５をはめ込むことで、図３（３）のパッティング練習用具１を作製することも好ましい。これによって、生産性高く、且つ練習用ゴルフボール２と機能部品１５との段差ができるのを避けることで、ボールを滑らかに転がすことが可能となる、より実際に即した練習用具を作製できる。
加えて、パッティングシート１９の開口部付近には、例えば幅3ｍｍ、長さ20ｃｍの白いラインを設け、目標ラインとすることも好ましい。
【００３３】
前記実施の形態では発光体８に発光ダイオードやＥＬ光源を用いたが、図４の通り、ライトパイプや光ファイバーに代表される導光パイプ１６を用い、支持板３の外側から導入することもできる。これによって豆電球などの大きな光源を外部発光体１７として用いることもできる。例えば、筒状体１４の横に孔を開け、ライトパイプからなる導光パイプ１６を通し、外部発光体１７から光を導入する構造とする。この構造によって外部発光体１７が故障した場合も光源を容易に交換することが可能となる。
【００３４】
さらには、発光体８や外部発光体１７を点滅させることで、プレイヤがボールを打つタイミングを促したりすることも効果的な練習となる。
【００３５】
図５はパッティング練習用具１を使用してパッティングを行なうときの状態である。支持板３の上に練習用ゴルフボール２を載せる。プレイヤは練習用ゴルフボール２の貫通孔４を通して発光体８を視認できる位置に頭と眼の位置を、パターマット上の進行方向のラインと共に合わす。発光体を視認できれば眼は練習用ゴルフボール２の真上位置にある。その状態でパッティングを行なう。パッティング時のボールの位置は左右の眼の中間位置の真下がよいとか、左目の真下がよいとかいわれる。それぞれの考えに従って眼の位置を調整してパッティングを行なう。さらには、パッティングした後も発光体の光を確認することで、姿勢を維持し、真っ直ぐストロークを行うことができる。
このような練習を繰り返せばパッティングの際の正しい姿勢を身体に覚え込ませることができ、実戦に反映させることができる。
【００３６】
（第２の実施形態）
第１の実施形態は、練習用ゴルフボール２の支持に磁石を用いているため、磁気センサ２１と組み合わせることで、ボール２の転がった瞬間に発生する磁束の変化を読み取ることから新たな機能を追加することが可能となる。
図６は第２の実施形態のパッティング練習用具２０を使用してパッティングを行なっているときの状態を示している。パッティング練習用具２０は第１の実施形態のパッティング練習用具１に磁気センサ２１、光電検出器２２、演算表示装置２３を加えた用具である。
磁気センサ２１は練習用ゴルフボール２の磁石５ａと支持板３内の支持磁石５ｂからの磁束の変化を読み取ることできるよう、支持板３の近くに配置する。さらには、ボール２の進行経路の近くにボール２を検出できる光電検出器２２を設置する。
パッティング開始後練習用ゴルフボール２が転がる瞬間、磁気センサ２１は磁束の変化を検出する。その後、光電検出器２２は、転がってきたボール２を検出する。  演算表示装置２３は磁気センサ２１、光電検出器２２の出力信号を受けてその信号の変化からボール２の速度を算出する。
【００３７】
即ち、練習用ゴルフボール２がパッティングされるとボール２の磁石５ａが移動するため磁気センサ２１の出力信号が変化する。その変化からボール２がパットされた瞬間を検出する。
次にパットされたボール２が光電検出器２２の前を通過するとその出力信号が変化する。その変化からボール２が通過した瞬間を検出する。両者の時間差からパット位置から光電検出器２２の検出位置までのボール２の走行時間ｔを算出する。パット位置から光電検出器２２の検出位置までの距離Ｌを予め演算表示装置２３に入力しておけば、Ｌ／ｔの計算でその間のボール２の速度Ｖを求めることができる。演算表示装置２３はその速度Ｖを算出して表示する。このパッティング練習用具２０を使用して繰り返し練習すれば、パッティングの際の正しい姿勢を身体に覚え込ませることができることに加え、パッティングの強さとボールの速度との関係、距離感も体得することができる。
【００３８】
さらに、磁気センサを用いた他の局面としては、パッティング開始直後、磁気センサ２１が練習用ゴルフボール２の磁石５ａと支持板３内の支持磁石５ｂからの磁束の変化を読み取ることで、発光体８の光の強度を減少させ、発光体を凝視する眼へのダメージを減らすことができる。
このように本実施の形態２に記述するように、磁気センサを加えることで、新たな機能を追加することが可能となる。
【符号の説明】
【００３９】
図面中、１、２０はパッティング練習用具、２は練習用ゴルフボール、３は支持板、４は貫通孔、５ａは孔開き磁石、５ｂは孔開き支持磁石、８は発光体、９は下地材、１３は一体構造の基板、１４は筒状体、１５は機能部品、１６は導光パイプ、１７は外部発光体、１８は下地板、１９はパッティングシート、２１は磁気センサ、２２は光電検出器、２３は演算表示装置を示す。
【図１】
0006598295.tif 000002
【図２】
0006598295.tif 000003
【図３】
0006598295.tif 000004
【図４】
0006598295.tif 000005
【図５】
0006598295.tif 000006
【図６】
0006598295.tif 000007